(57)【要約】【課題】切替実施前に、可能な範囲で切替先のパスの正常性確認を行い、パスの信頼性を確保しつつ、切替処理時間の短縮化を図る。【解決手段】通信ネットワークの２つのノード間の通信経路となるＶＰを、予め定められた切替先のＶＰ情報を含んだ切替指示に従って切り替えるパス切替方法において、切替元のＶＰと切替先のＶＰとを比較することで、両者の非共通部分を導出し（Ｓ１）、導出された切替先のＶＰにおける非共通部分について切替前の導通試験を行う（Ｓ２）。ここで、切替先のＶＰにおける非共通部分が正常であるとの結果が得られた場合、クロスコネクトにより切替元のＶＰから切替先のＶＰへの切替を行い（Ｓ４）、当該切替の完了後に、切替元のＶＰを廃止する（Ｓ５）。【選択図】  図８
2004187162.tif 000002
【特許請求の範囲】
【請求項１】
通信ネットワークの２つのノード間の通信経路となるパスを、予め定められた切替先のパス情報を含んだ切替指示に従って切り替えるパス切替方法であって、
切替元のパスと切替先のパスとを比較することで、両者の非共通部分を導出する非共通部分導出工程と、
導出された切替先のパスにおける非共通部分について、切替前の導通試験を行う事前試験工程と、
前記導通試験にて切替先のパスにおける非共通部分が正常であるとの結果が得られた場合、切替対象の伝送装置におけるクロスコネクトにより切替元のパスから切替先のパスへの切替を行う切替工程と、
を有するパス切替方法。
【請求項２】
前記切替工程における切替先のパスへの切替が完了した後、切替元のパスを廃止する廃止工程をさらに有する請求項１記載のパス切替方法。
【請求項３】
前記事前試験工程では、前記非共通部分の切替対象の伝送装置における切替先パスのクロスコネクトとして、同一もしくは別インタフェースにおける未使用ＶＰＩとダミークロスコネクトを設定することで、当該非共通部分について切替前の導通試験を行うことを特徴とする請求項１又は２に記載のパス切替方法。
【請求項４】
通信ネットワークの２つのノード間の通信経路となるパスを、予め定められた切替先のパス情報を含んだ切替指示に従って切り替える通信ネットワーク管理システムであって、
切替元のパスと切替先のパスとを比較することで、両者の非共通部分を導出する非共通部分導出手段と、
導出された切替先のパスにおける非共通部分について、切替前の導通試験を行う事前試験手段と、
前記導通試験にて切替先のパスにおける非共通部分が正常であるとの結果が得られた場合、切替対象の伝送装置におけるクロスコネクトにより切替元のパスから切替先のパスへの切替を行う切替手段と、
を備えた通信ネットワーク管理システム。
【請求項５】
前記切替手段による切替先のパスへの切替が完了した後、切替元のパスを廃止する廃止手段をさらに備えた請求項４記載の通信ネットワーク管理システム。
【請求項６】
前記事前試験手段は、前記非共通部分の切替対象の伝送装置における切替先パスのクロスコネクトとして、同一もしくは別インタフェースにおける未使用ＶＰＩとダミークロスコネクトを設定することで、当該非共通部分について切替前の導通試験を行うことを特徴とする請求項４又は５に記載の通信ネットワーク管理システム。
【発明の詳細な説明】
【０００１】
【発明の属する技術分野】
本発明は、通信ネットワークの２つのノード間の通信経路となるパスを、予め定められた切替先のパス情報を含んだ切替指示に従って切り替えるパス切替方法及び通信ネットワーク管理システムに関する。
【０００２】
【従来の技術】
従来より、ＡＴＭ（Ａｓｙｎｃｈｒｏｎｏｕｓ  Ｔｒａｎｓｆｅｒ  Ｍｏｄｅ：非同期転送モード）交換機等の通信装置からなる通信ネットワークシステムにおけるパス切替に関するさまざまな技術が提案されている（例えば、下記の特許文献１、２参照）。
【０００３】
従来のパス切替手順は、切替元のパスを全部廃止してから、切替先のパスを新設するという手順しか無かった。このため、交換機の増設に伴って、基地局の属する交換機を変更する場合に、切替処理に時間がかかり停波時間が長くなるという問題や、切替実施時でなければ切替先のパスが正常であることの確認ができないという問題があった。特に、１交換機に収容される基地局数が多い場合、切替対象の仮想パス（Ｖｉｒｔｕａｌ  Ｐａｔｈ：以下「ＶＰ」という。）の数も多くなり問題も大きい。また、切替先のパスが長ければ、設定する伝送装置の数も大きくなる。これらにより、限られた時間内にスムーズに切替作業を行うことが困難であった。
【０００４】
【特許文献１】
特開平１０−３３６１９５号公報
【特許文献２】
特開平１０−２２４４３０号公報
【０００５】
【発明が解決しようとする課題】
本発明は、上記課題を解決するために成されたものであり、切替実施前に、可能な範囲で切替先のパスの正常性確認を行い、パスの信頼性を確保しつつ、切替処理時間の短縮化を図ることができるパス切替方法及び通信ネットワーク管理システムを提供することを目的とする。
【０００６】
【課題を解決するための手段】
上記目的を達成するために、本発明に係るパス切替方法は、請求項１に記載したように、通信ネットワークの２つのノード間の通信経路となるパスを、予め定められた切替先のパス情報を含んだ切替指示に従って切り替えるパス切替方法であって、切替元のパスと切替先のパスとを比較することで、両者の非共通部分を導出する非共通部分導出工程と、導出された切替先のパスにおける非共通部分について、切替前の導通試験を行う事前試験工程と、導通試験にて切替先のパスにおける非共通部分が正常であるとの結果が得られた場合、切替対象の伝送装置におけるクロスコネクトにより切替元のパスから切替先のパスへの切替を行う切替工程とを有することを特徴とする。
【０００７】
上記のパス切替方法では、非共通部分導出工程にて、切替元のパスと切替先のパスとを比較することで両者の非共通部分を導出し、事前試験工程にて、上記導出された切替先のパスにおける非共通部分について切替前の導通試験を行う。そして、この導通試験にて切替先のパスにおける非共通部分が正常であるとの結果が得られた場合、切替工程において切替対象の伝送装置におけるクロスコネクトにより切替元のパスから切替先のパスへの切替を行う。
【０００８】
このように切替元のパスと切替先のパスとの非共通部分を導出し、切替先のパスにおける非共通部分について切替前の導通試験を行うことにより、切替実施前に、可能な範囲で切替先のパスが正常であることを確認でき、パスの信頼性を確保することができる。また、導通試験にて切替先のパスにおける非共通部分が正常であるとの結果が得られた場合、切替工程において切替対象の伝送装置におけるクロスコネクトにより切替元のパスから、事前確認済みの切替先のパスへの切替を行うため、切替元のパス全体の廃止と切替先のパス全体の新設の両方を切替時に行っていた従来に比べ、切替処理時間の短縮化を図ることができる。
【０００９】
また、本発明に係るパス切替方法は、請求項２に記載したように、切替工程における切替先のパスへの切替が完了した後、切替元のパスを廃止する廃止工程をさらに有することを特徴とする。
【００１０】
さらに、本発明に係るパス切替方法は、請求項３に記載したように、事前試験工程において、非共通部分の切替対象の伝送装置における切替先パスのクロスコネクトとして、同一もしくは別インタフェースにおける未使用ＶＰＩとダミークロスコネクトを設定することで、当該非共通部分について切替前の導通試験を行うことを特徴とする。このようにすれば、切替先のパスにおける非共通部分について切替前の導通試験が可能となるとともに、切替工程において上記ダミークロスコネクトのディスコネクトと、切替元のパスにおける共通部分へのコネクトとを順に実行することで、切替先のパスへの切替を簡易に行うことができる。
【００１１】
ところで、本発明は、上記のようにパス切替方法の発明として記述できる他に、以下のように、通信ネットワーク管理システムの発明としても記述できる。これらはカテゴリーが異なるだけで、実質的に同一の発明であり、同様の作用・効果を奏する。
【００１２】
即ち、本発明に係る通信ネットワーク管理システムは、請求項４に記載したように、通信ネットワークの２つのノード間の通信経路となるパスを、予め定められた切替先のパス情報を含んだ切替指示に従って切り替える通信ネットワーク管理システムであって、切替元のパスと切替先のパスとを比較することで、両者の非共通部分を導出する非共通部分導出手段と、導出された切替先のパスにおける非共通部分について、切替前の導通試験を行う事前試験手段と、導通試験にて切替先のパスにおける非共通部分が正常であるとの結果が得られた場合、切替対象の伝送装置におけるクロスコネクトにより切替元のパスから切替先のパスへの切替を行う切替手段とを備えたことを特徴とする。
【００１３】
また、本発明に係る通信ネットワーク管理システムは、請求項５に記載したように、切替手段による切替先のパスへの切替が完了した後、切替元のパスを廃止する廃止手段をさらに備えたことを特徴とする。
【００１４】
さらに、本発明に係る通信ネットワーク管理システムでは、請求項６に記載したように、事前試験手段は、非共通部分の切替対象の伝送装置における切替先パスのクロスコネクトとして、同一もしくは別インタフェースにおける未使用ＶＰＩとダミークロスコネクトを設定することで、当該非共通部分について切替前の導通試験を行うことを特徴とする。
【００１５】
【発明の実施の形態】
以下、本発明の実施の形態を図面に基づいて説明する。
【００１６】
［▲１▼システム構成の説明］
図１は、本発明の実施の一形態に係る通信ネットワーク管理におけるオペレーションシステム１００および該オペレーションシステム１００の管理対象となる管理対象装置の一例を示す図である。なお、本実施形態では、通信ネットワークの一例として移動通信ネットワークを取り上げて説明する。上記オペレーションシステム１００が、本発明に係る通信ネットワーク管理システムに相当する。
【００１７】
オペレーションシステム１００は、管理対象装置となる無線基地局６００（以下、ＢＴＳ（Ｂａｓｅ  Ｔｒａｎｓｃｅｉｖｅｒ  Ｓｔａｔｉｏｎ）という）と、無線制御装置（以下、ＲＮＣ（Ｒａｄｉｏ  Ｎｅｔｗｏｒｋ  Ｃｏｎｔｒｏｌｌｅｒ）という）２００の区間（以下、ＲＡＮ（Ｒａｄｉｏ  Ａｃｃｅｓｓ  Ｎｅｔｗｏｒｋ）という）のパス設計および該パス設計で生成されたオーダーを実行して上記区間のパスを開通させる役割を担う。本例において、上記オペレーションシステム１００が管理する管理対象装置は、具体的には、ＲＮＣ２００、ＲＮＣ側のＡＴＭ多重化装置（以下、ＡＴＭ−ＭＵＸという）３００、ＢＴＳ６００、ＢＴＳ側のＡＴＭ−ＭＵＸ４００およびＡＴＭ−Ｓ−ＭＵＸ５００である。本例ではこれらの装置をＮＥ（Ｎｅｔｗｏｒｋ  Ｅｑｕｉｐｍｅｎｔ：ネットワーク装置）と呼んで説明する。
【００１８】
上記オペレーションシステム１００は、パス設計システム１０と、ＮＭＳ（Ｎｅｔｗｏｒｋ  Ｍａｎａｇｅｍｅｎｔ  Ｓｙｓｔｅｍ：ネットワーク管理システム）２０と、ＮＥ管理システム３０とで構成される。パス設計システム１０とＮＭＳ２０はＬＡＮで接続されデータのやり取りが行えるようになっている。ＮＭＳ２０とＮＥ管理システム３０は、本例では、１つの装置の中に並存している形態を例にとり説明を行うが、本発明はこのような形態に限らず、ＮＭＳ２０とＮＥ管理システム３０が個々の装置で構成されているような形態であってもよい。ＮＥ管理システム３０には、パス設定やＮＥ設定を仲介するＮＥメディエーション３１〜３２が備えられ、ＮＥ管理システムとＮＥメディエーション間は例えば、ＬＡＮを用いてデータの送受が行われる。
【００１９】
パス設計システム１０では、トラヒックデータ等の需要予測に基づいて算出されるパス容量等からＶＰの収容設計が行われ、該ＶＰの収容設計情報をもとに『Ｏｒｄｅｒ（オーダー）』を生成する。そして、その生成したＯｒｄｅｒ（送信Ｏｒｄｅｒ）をＮＭＳ２０に送出する役割を担う。パス設計システム１０から送出されるＯｒｄｅｒの送出形態は、ＶＰやＮＥの構築形態、例えば、初期構築や追加構築などの構築形態によって変わり、さらに上記Ｏｒｄｅｒには、装置ＩＤやパス名、パス構成などネットワーク装置（ＮＥ）やパスの設定情報が含まれる。
【００２０】
ＮＭＳ２０は、パス設計システム１０からＯｒｄｅｒを受け取り、そのＯｒｄｅｒの内容に従ってパスやＮＥの設定、生成、削除などが行われるよう設定要求（ＮＥ設定要求）をＮＥ管理システム３０に送る。このＮＥ設定要求は、ＮＥメディエーション３１〜３２を介してＡＴＭ−ＭＵＸ３００（実線矢印）およびＢＴＳ側のＡＴＭ−ＭＵＸ４００を経由してＡＴＭ−Ｓ−ＭＵＸ（点線矢印）５００に送られ、それぞれのＮＥにおいて該ＮＥ設定要求に含まれる情報の内容に従ったパスの設定やＮＥの設定が行われる。
【００２１】
このように各ＮＥの設定、パスの設定はパス設計システム１０から送出されるＯｒｄｅｒに基づいて行われる。
【００２２】
図２は、送信Ｏｒｄｅｒのイメージを示す図である。同図に示すように、送信Ｏｒｄｅｒには、ＮＥに対するＯｒｄｅｒ（例：ＡＴＭ−ＭＵＸ３００、４００、ＡＴＭ−Ｓ−ＭＵＸ５００の送信架や同装置内のＩＦ  Ｂｏａｒｄに対するＯｒｄｅｒ）やパスに対するＯｒｄｅｒ（例：ＶＰやＶＣ（ＶＣ４／３２）に対するＯｒｄｅｒ）等がある。
【００２３】
ＮＭＳ２０では、受信したＯｒｄｅｒを予め定められた実行順序にて実行する。また、ＮＭＳ２０ではＯｒｄｅｒが実行されると、Ｏｒｄｅｒ処理の進捗通知をパス設計システムに行う。本発明では、この進捗通知を、業務プロセスごとに行うのでなく、Ｏｒｄｅｒ管理系とＯｒｄｅｒ実行系のプロセスに分けて配置し、互いのプロセス間通信のみでＯｒｄｅｒの進捗管理を実現する。
【００２４】
尚、ＮＥにおけるＲＮＣ側のＡＴＭ−ＭＵＸ３００とＢＴＳ側のＡＴＭ−ＭＵＸ４００の通信はマイクロ波帯のエントランス回線を利用する形態であっても、ＳＤＨ（ｓｙｎｃｈｒｏｎｏｕｓ  ｄｉｇｉｔａｌ  ｈｉｅｒａｒｃｈｙ）伝送装置を利用する形態であってもよく、いずれの形態でも本発明を限定するものでない。
【００２５】
図３は、本発明のネットワーク管理システムの一構成であるパス設計システム１０の機能ブロックの構成例を示すものである。
【００２６】
図３において、このパス設計システム１０は、クライアント／サーバー・システムであって、クライアント側は、オペレーティング・システム１１、業務用アプリケーション１２、データベース・サーバーとアクセスするためのインタフェース１３などが備えられる。一方、サーバー側は、オペレーティング・システム１４、関係データベース管理システム（ＲＤＢＭＳ）１５、クライアント側とアクセスするためのインタフェース１６、業務用アプリケーション１７、ＢＴＳ６００やＲＮＣ２００の無線ネットワーク装置（ＲＡＮ：Ｒａｄｉｏ  Ａｃｃｅｓｓ  Ｎｅｔｗｏｒｋ）の無線諸元に係る情報を得るための通信用ＡＰＩ（Ａｐｐｌｉｃａｔｉｏｎ  Ｐｒｏｇｒａｍ  Ｉｎｔｅｒｆａｃｅ）１８が備えられる。また、上記通信用ＡＰＩには、ＬＡＮでＮＭＳ２０との通信を行うプロトコルなどが備えられる。
【００２７】
図４は、本発明のネットワーク管理システムの一構成であるＮＭＳ２０の機能ブロックの構成例を示すものである。
【００２８】
図４において、このＮＭＳ２０は信頼性向上のため二重化（０系、１系）がとられる。０系、１系とも同構成であるので、以下、０系を例にとり説明する。
【００２９】
本ＮＭＳ２０の０系は、オペレーティング・システム２１、関係データベース管理システム（ＲＤＢＭＳ）２２、通信ＡＰＩ２３、業務用アプリケーション２４、冗長構成共通ＡＰＩ２５とで構成される。通信ＡＰＩは、パス設計システム１０やＮＭＳ２０用のＧＵＩ（ｇｒａｐｈｉｃａｌ  ｕｓｅｒ  ｉｎｔｅｒｆａｃｅ）ならびにＮＥ管理システム３０と接続するための通信インタフェース機能を備える。
【００３０】
上記の関係データベース管理システムには、パス設計システムから受信したＯｒｄｅｒを格納するデータベース（以下、オーダーＤＢという）と、移動通信ネットワークのすべての構成に係るデータを格納するデータベース（以下、構成ＤＢという）とが備えられる。
【００３１】
図５は、本発明のネットワーク管理システムの一構成であるＮＥ管理システム３０の機能ブロックの構成例を示すものである。
【００３２】
図５において、このＮＥ管理システム３０は前述したＮＭＳ２０と同様に信頼性向上の見地から二重化（０系、１系）がとられる。０系、１系とも同構成であるので、以下、０系を例にとり説明する。
【００３３】
本ＮＥ管理システム３０の０系は、オペレーティング・システム５１、関係データベース管理システム（ＲＤＢＭＳ）５２、通信ＡＰＩ５３、業務用アプリケーション５４、冗長構成共通ＡＰＩ５５とで構成される。通信ＡＰＩ５３には、ＧＵＩを持つ総合保守端末、ＮＭＳ２０およびＮＥメディエーション３１〜３２と通信をするための通信インタフェース機能が備えられる。
【００３４】
［▲２▼ＶＰ切替動作の説明］
以下、上記のような環境下でオペレーションシステム１００により実行されるＶＰ切替動作について説明する。
【００３５】
まず、図６を用いてＶＰ切替動作の概要を説明する。ここでは、図６において、黒の菱形で終端点を表した切替元ＶＰ８０から、黒丸で終端点を表した切替先ＶＰ９０へ切り替えるものとする。
【００３６】
切替元ＶＰ８０は、ビルＡに収容された無線基地局７２から、ビルＡに収容されたＡＴＭ−Ｓ−ＭＵＸ７０Ａ、ビルＢに収容されたＡＴＭ−ＭＵＸ７０Ｂ、ビルＣに収容されたＡＴＭ−ＭＵＸ７０Ｃを経由して、ＲＮＣ７４Ｃに至るＶＰである。また、切替先ＶＰ９０は、ビルＡに収容された無線基地局７２から、ビルＡに収容されたＡＴＭ−Ｓ−ＭＵＸ７０Ａ、ビルＢに収容されたＡＴＭ−ＭＵＸ７０Ｂ、ビルＣに収容されたＡＴＭ−ＭＵＸ７０Ｃ、ビルＤに収容されたＡＴＭ−ＭＵＸ７０Ｄを経由して、ＲＮＣ７４Ｄに至るＶＰである。
【００３７】
このため、両ＶＰの共通部分は、無線基地局７２から、ビルＡに収容されたＡＴＭ−Ｓ−ＭＵＸ７０Ａ、ビルＢに収容されたＡＴＭ−ＭＵＸ７０Ｂを経由して、ビルＣに収容されたＡＴＭ−ＭＵＸ７０Ｃのインタフェース７７に至るまでの部分であり、切替先ＶＰ９０における非共通部分は、ＡＴＭ−ＭＵＸ７０Ｃのインタフェース７８から、ビルＤに収容されたＡＴＭ−ＭＵＸ７０Ｄを経由して、ＲＮＣ７４Ｄに至るまでの部分である。
【００３８】
このとき、切替元ＶＰ８０と切替先ＶＰ９０との比較により、切替先ＶＰ９０における非共通部分（ＡＴＭ−ＭＵＸ７０Ｃのインタフェース７８からＡＴＭ−ＭＵＸ７０Ｄを経由してＲＮＣ７４Ｄまでの区間）が導出され、この非共通部分についてＮＭＳが事前に設定を行う。なお、上記の非共通部分の導出は、例えば、図６の無線基地局７２側から経路を順次比較することで行う。この経路比較は、経路（装置間の線）の左右装置のＶＰＩまでの設定情報を比較することで行われる。このとき、相違が検出された経路の無線基地局７２側の装置が切替点として決定される。図６の例では、ＡＴＭ−ＭＵＸ７０Ｃが切替点として決定される。
【００３９】
また、切替対象のＭＵＸとなるＡＴＭ−ＭＵＸ７０Ｃでは、未使用ＶＰＩを持つインタフェースと切替先ＶＰがダミークロスコネクトされる（この場合、同一インタフェース７８の未使用ＶＰＩとダミークロスコネクト）。そして、非共通部分、即ち、ＡＴＭ−ＭＵＸ７０Ｃにおけるインタフェース７８とＲＮＣ７４Ｄの間の区間について、事前の導通正常性の確認試験が行われる。なお、この確認試験は、ＮＭＳにより自動で行ってもよいし、所定のオペレータ（操作者）が行ってもよい。
【００４０】
ここで、事前の導通正常性が確認されれば、ＡＴＭ−ＭＵＸ７０Ｃが、上記の同一インタフェース７８におけるダミークロスコネクトをディスコネクトし、図６に破線Ｘで表すようにインタフェース７８からインタフェース７７への（即ち、切替元ＶＰと切替先ＶＰの共通部分へ向けての）コネクトを行うことで、切替元ＶＰ８０から切替先ＶＰ９０への切替を実行する。そして、この切替が完了した後、切替元ＶＰ８０の残経路（即ち、切替元ＶＰ８０における非共通部分）である、ＡＴＭ−ＭＵＸ７０Ｃの入口からＲＮＣ７４Ｃに至るまでの区間を廃止する。
【００４１】
上記の切替動作を、その手順に沿って、図７、図８に基づき説明する。図８のパス切替処理はオペレーションシステム１００によって実行される。
【００４２】
オペレーションシステム１００は、まず、切替元ＶＰ８０と切替先ＶＰ９０とを比較することで、両者の非共通部分を導出する（図８のＳ１）。これにより、図７の非共通部分導出工程にて破線で示す切替先ＶＰ９０における非共通部分（図６のＡＴＭ−ＭＵＸ７０ＣからＡＴＭ−ＭＵＸ７０Ｄを経由してＲＮＣ７４Ｄまでの区間）９０Ａが導出される。
【００４３】
次に、切替先ＶＰ９０における非共通部分９０Ａについて導通試験を行う（図８のＳ２）。このとき、前述のように、非共通部分９０ＡについてＡＴＭ−ＭＵＸ７０Ｄでは事前に設定を行い、切替対象のＭＵＸとなるＡＴＭ−ＭＵＸ７０Ｃが、切替先ＶＰのクロスコネクトとして、同一インタフェース７８における未使用ＶＰＩとダミークロスコネクトを設定する。このため、非共通部分９０Ａ、即ち、ＡＴＭ−ＭＵＸ７０Ｃにおけるインタフェース７８とＲＮＣ７４Ｄの間の区間について、事前の導通試験が可能となる。
【００４４】
この導通試験で非共通部分が正常であると確認されれば（図８のＳ３で肯定判断されれば）、ＡＴＭ−ＭＵＸ７０Ｃにおいて、同一インタフェース７８におけるダミークロスコネクトをディスコネクトし、図６に破線Ｘで表すようにインタフェース７８からインタフェース７７へのコネクトを行うことで、切替元ＶＰ８０から切替先ＶＰ９０への切替を実行する（図８のＳ４）。これにより、図７の切替工程に示すように、切替先ＶＰ９０が張られる。但し、この時点では、切替元ＶＰ８０の残経路（切替元ＶＰ８０における非共通部分）８０Ａである、図６のＡＴＭ−ＭＵＸ７０Ｃの入口からＲＮＣ７４Ｃに至るまでの区間は残存している。
【００４５】
そして、上記の切替工程が完了した後、切替元ＶＰ８０の残経路８０Ａ（ＡＴＭ−ＭＵＸ７０Ｃの入口からＲＮＣ７４Ｃに至るまでの区間）を廃止する（図８のＳ５）。
【００４６】
以上説明した発明の実施形態によれば、切替先のパスにおける非共通部分について切替前の導通試験を行うことにより、切替実施前に、可能な範囲で切替先のパスが正常であることを確認でき、パスの信頼性を確保することができる。
【００４７】
また、切替工程では、切替元のパスから導通試験により事前に正常性が確認済の切替先のパスへ、クロスコネクトにより切替を実施するため、切替もとのパス全体の廃止と切替先のパス全体の新設の両方を切替時に行っていた従来に比べ、切替処理時間の短縮化を図ることができる。
【００４８】
さらに、事前試験工程において、非共通部分の切替対象の伝送装置における切替先パスのクロスコネクトとして、同一もしくは別インタフェースにおける未使用ＶＰＩとダミークロスコネクトを設定するため、切替先のパスにおける非共通部分について切替前の導通試験が可能となるとともに、切替工程において上記ダミークロスコネクトのディスコネクトと、切替元のパスにおける共通部分へのコネクトとを順に実行することで、切替先のパスへの切替を簡易に行うことができる。
【００４９】
【発明の効果】
以上説明したように、本発明によれば、切替実施前に、可能な範囲で切替先のパスの正常性確認を行い、パスの信頼性を確保しつつ、切替処理時間の短縮化を図ることができる。
【図面の簡単な説明】
【図１】発明の実施形態に係る移動通信ネットワーク管理におけるオペレーションシステムの構成例および該オペレーションシステムの管理対象となる管理対象装置の一例を示す図である。
【図２】送信Ｏｒｄｅｒのイメージを示す図である。
【図３】パス設計システムの構成例を示す図である。
【図４】ＮＭＳの構成例を示す図である。
【図５】ＮＥ管理システムの構成例を示す図である。
【図６】ＶＰの切替動作を説明するための図である。
【図７】ＶＰの切替処理手順を説明するための図である。
【図８】ＶＰの切替処理手順を示す流れ図である。
【符号の説明】
１０…パス設計システム、１１…オペレーティング・システム、１２、１７、２４、２９、５４…業務用アプリケーション、１３、１６…データベース・サーバーアクセスインタフェース、１４、２１、２６、５１…オペレーティング・システム、１５、２２、２７、５２…関係データベース管理システム（ＲＤＢＭＳ）、１８、２３、３０、５３…通信用ＡＰＩ、２０…ＮＭＳ、２５、２８、５５…冗長構成共通ＡＰＩ、３０…ＮＥ管理システム、３１、３２…ＮＥメディエーション、７７、７８…インタフェース、８０…切替元ＶＰ、９０…切替先ＶＰ、９０Ａ…非共通部分、１００…オペレーションシステム、２００、７４Ｃ、７４Ｄ…ＲＮＣ、３００、４００…ＡＴＭ−ＭＵＸ、５００、７０Ａ、７０Ｂ、７０Ｃ、７０Ｄ…ＡＴＭ−Ｓ−ＭＵＸ、６００、７２…無線基地局。
【図１】
2004187162.tif 000003
【図２】
2004187162.tif 000004
【図３】
2004187162.tif 000005
【図４】
2004187162.tif 000006
【図５】
2004187162.tif 000007
【図６】
2004187162.tif 000008
【図７】
2004187162.tif 000009
【図８】
2004187162.tif 000010